(57)【要約】【課題】横幅が狭い場所であっても書物などの物品を収納することができ、またタンスなどの家具と調和することが可能な物品収納具及び物品収納家具の提供する。【解決手段】レールを備えた基台１３と、前記基台１３のレール１２上を走行するキャスタ１９，２０を備える物品収納体３と、裏面に前記基台１３側のレール１２に連結可能な延長レール１４を備えた前記物品収納体３の前蓋板９と、前記前蓋板９と前記基台１３とを蝶着し、前蓋板９を基台１３に対して回動可能にする蝶番手段１２aと、一端が前記物品収納体３に取り付けられ、他端が前記前蓋板９に取り付けられている伸縮性部材１７とを有することを特徴とする。【選択図】図６
2007097798.tif 000002
【特許請求の範囲】
【請求項１】
レールを備えた基台と、
前記基台のレール上を走行するキャスタを備える物品収納体と、
裏面に前記基台側のレールに連結可能な延長レールを備えた前記物品収納体の前蓋板と、
前記前蓋板と前記基台とを蝶着し、前蓋板を基台に対して回動可能にする蝶番手段と、
一端が前記物品収納体に取り付けられ、他端が前記前蓋板に取り付けられている伸縮性部材とを有することを特徴とする物品収納具。
【請求項２】
前記物品収納体の前側キャスタよりも前方に前記蓋板押し込み部材を備えたことを特徴とする請求項１に記載の物品収納具。
【請求項３】
前記押し込み部材は、突起物であることを特徴とする請求項1乃至２のいずれかに記載の物品収納具。
【請求項４】
前記基台レールの後端側に基台レール側ストッパが、前記連結板レールの前端側に連結板側ストッパがそれぞれ設けられて、前記物品収納棚の走行範囲が規定されていることを特徴する請求項１乃至３のいずれかに記載の物品収納具。
【請求項５】
前記基台レール側ストッパの前方に、前記物品収納棚の前進開始を困難にしない程度の凸状傾斜部が設けられていることを特徴する請求項４に記載の物品収納具。
【請求項６】
前記凸状傾斜部の頂点と前記基台レール側ストッパとの間の距離は、前記物品収納棚の後側キャスタがほぼ収まるような位置であることを特徴とする請求項５に記載の物品収納具。
【請求項７】
請求項１乃至６のいずれかに記載の物品収納棚具が1以上、前方が開放された筐体に収納されていることを特徴とする物品収納家具。
【請求項８】
前記物品収納体に設けたスライドレールと、該スライドレールに係合するように前記筐体に設けたスライドレールとを有する特徴とする請求項７に記載の物品収納家具。
【発明の詳細な説明】
【技術分野】
【０００１】
本発明は物品収納具および物品収納家具に関する。
【背景技術】
【０００２】
下記文献に記載されているように、従来より、多くの本をできるだけコンパクトに収納できるようにスライド書棚と呼ばれているものがある。この書棚は、固定書棚とこの固定書棚の前で横方向にスライドする書棚の2段構成となっている。
【特許文献１】特開平１０−８５０５９
【発明の開示】
【発明が解決しようとする課題】
【０００３】
ところで、従来のスライド書棚は、横幅が広いため、設置場所としても広い横幅を必要とする。また、従来のスライド書棚では、外から書籍が見えるので、他の家具との調和が取れにくく、このため、別の場所に置かざるを得ないという不便があった。
【０００４】
本願発明は、かかる従来の問題に鑑みて創作されたものであって、狭い場所であっても設置でき、またタンスなどの家具とも調和することができる、前後に円滑に移動可能な、書棚およびその他の物品収納具および物品収納家具の提供を目的とする。
【課題を解決するための手段】
【０００５】
本願発明の物品収納具は、レールを備えた基台と、前記基台のレール上を走行するキャスタを備える物品収納体と、裏面に前記基台側のレールに連結可能な延長レールを備えた前記物品収納体の前蓋板と、前記前蓋板と前記基台とを蝶着し、前蓋板を基台に対して回動可能にする蝶番手段と、一端が前記物品収納体に取り付けられ、他端が前記前蓋板に取り付けられている伸縮性部材とを有し、上記課題を解決する。
【０００６】
この発明によれば、物品収納体が基台上に収納状態にあるとき、前蓋板は伸縮性部材によって、少しだけ引っ張られた状態にしている。これは、伸縮性部材の両端が、物品収納体への取り付けられる位置と前蓋板への取り付けられる位置とを適宜、調節することにより容易に行うことができる。このようにして、物品収納体が基台上に収納されているときには、前蓋板は物品収納体の前に立設して物品収納体を被覆しており、前蓋の機能を果たしている。
【０００７】
収納状態から物品収納体を前方に引出していくと、前蓋板が少し倒れる。弾性部材等の張力に抗して、
さらに物品収納体を前方に引出していくと、前蓋板がさらに倒れ、かつ物品収納体の前のキャスタが前蓋板側のレール上に乗り移り始める。これにより前蓋板には物品収納体の重みがかかっていくので、前蓋板はさらに倒されていく。
【０００８】
なお、物品収納具がある程度、前方に進むと、弾性部材等の両端の取り付け位置が互いに接近して弾性部材の通常の長さよりも短くなるので、弾性部材等は弛んだ状態になる。
【０００９】
前蓋板が完全に倒れると、基台側のレールと前蓋板側のレールとが同じ平面内で連結される。このため、物品収納体は前蓋板側へと円滑に移動できる。
【００１０】
反対に、物品収納体を前蓋板側から基台側に戻すときは、物品収納体は前蓋板のレールか基台のレールへと移動していく。そして、物品収納体のすべてのキャスタが前蓋板上のレールから基台上のレールに移ったとき、前蓋板は弾性部材等によって引っ張られて、前蓋板は立ち上がり始め、物品収納体が基台上に移ったとき、前蓋板は立った状態に戻り、前蓋の機能を果たす。
【００１１】
また、本願発明の物品収納具の物品収納体の前側キャスタの前方に、前蓋板押し込み部材を設けることが好ましい。この前蓋板押し込み部材により、物品収納具の前側キャスタが基台レールから前蓋板レールに移行する前に、あらかじめ、この前蓋板押し込み部材によって前蓋板を前方に大きく倒しておくことができるので、物品収納具の前側キャスタが基台レールから前蓋板レールへ移行することが容易になる。
【００１２】
このように本発明によれば、物品収納体を前方に引き出すという一つの操作だけで、当該物品収納体が走行するレールを自動的に提供することができ、同様に、物品収納体を元に戻すという一つの操作だけで、当該物品収納体が走行するレールを自動的にしまいこむことができるので、非常に便利である。
【発明を実施するための最良の形態】
【００１３】
以下に、物品収納家具の一例としての本発明の実施の形態に係る書棚をついて、添付図面を参照しながら詳細に説明する。
【００１４】
（１）本発明の実施形態に係る書棚についての説明
図１は可動書棚が筐体中に収納された状態にある本発明の実施形態に係る書棚の全体の構成を説明する斜視図（その１）である。書棚１には、３つの可動書棚３，４，５が並列に並んで筐体２の中に収納されている。物品収納具の一例としての可動書棚３には、可動書棚３を引き出すために手を挿し入れる引出し用窪み６が、可動書棚３の中央に形成されている。同様に、可動書棚４と５にも引出し用窪み６が形成されている。また各可動書棚３，４，５の下方には、前蓋板９，１０，１１が設けられている。
【００１５】
この状態にあると、タンスなどの一般家具と見分けが付かない。このため、本発明の実施形態に係る書棚を一般家具に並べて配置しても、外観上の調和を保つことができるので、配置の自由度が増し、使い勝手が良い。
【００１６】
可動書棚３を前方に少しだけ引出された状態は、図２の本発明の実施形態に係る書棚の斜視図（その２）に示しており、可動書棚３を完全に引出した状態は、図３の本発明の実施形態に係る書棚の斜視図（その３）に示している。
【００１７】
（２）本発明の実施形態に係る可動書棚の構成と動作についての説明
図４〜図１０は、本発明の実施形態に係る可動書棚の構成と動作をさらに詳しく説明する図である。図４のように、通常、可動書棚３，４，５は筐体２中に収納されており、また、前蓋板９は立った状態になって可動書棚３の前方を覆っている。このため、外から書棚の書物をまったく見ることはできないし、外観上も、書棚であることはわからないようになっている。
【００１８】
なお、前蓋板９が前方に倒れないように、伸縮性部材１７の張力により、後側にわずかに引っ張られている。この張力の程度は、伸縮性部材１７の両端の取り付け位置である、前蓋板９の固定部材１７aと可動書棚３の背面板の固定部材１７bの場所と、伸縮性部材１７の長さを適宜、調整することにより設定できる。
【００１９】
この状態から、可動書棚３の引出し用窪み６に指を挿しいれて手前に引くと、可動書棚３の前側キャスタ１９と後側キャスタ２０が、基台１２の上に形成された金属性のレール１３上を回転して進んでいく。レール１３の断面が凹部状となっており、キャスタ１９，２０はこの凹部の中を進んでいくので、レール１３から外れたりすることはない。また、基台１２の上には２本のレールが敷かれているが、２本目は図示していない。
【００２０】
図５に示すように、引き出しの最初の段階では、可動書棚３の下端３aが、まず前蓋板９に接触してこれを押し出そうとする力が働く。この力により、前蓋板９は蝶番１２aを中心として時計回りと反対方向に回転し始める。
【００２１】
さらに引き出すと、図６に示すように、可動書棚３の下に取り付けられた金属性の押し出し部材１８が前蓋板９の裏側に形成されたレール１４に接触するようになる。この押し出し部材１８は金属製凸形状部材で、丁度、レール１４の凹部に嵌まるようになっており、前蓋板９を効率良く、押し倒す。このとき伸縮性部材１７は少し伸びる。
【００２２】
さらに引き出していくと、図７および図８に示すように、前側キャスタ１９が基台１２のレール１３から前蓋板９のレール１４に移行し始める。この状態になると、伸縮性部材１７の長さよりも固定部材１７aと固定部材１７bとの間の距離が短くなるので、徐々に緩んだ状態になる。
【００２３】
また、前蓋板９には、可動書棚３の重量が掛かるようになるので、前蓋板９は容易に倒れ、遂には基台１２と面一になって、可動書棚３の全体が前蓋板９上に移行することができる。そして、図９に示すように、最終的にストッパ１５に接触して停止する。
【００２４】
このとき図３の斜視図に示すように、可動書棚３の全体は筐体１から完全に外に出ているので、可動書棚３の書物がどこの場所に格納されていても、容易に見つけ出して取出すことができるし、また戻すことができる。
【００２５】
可動書棚３を筐体１に収納するときは、引き出したときと反対に、可動書棚３を押し込んでやると、可動書棚３のキャスタ１９と２０は後方に向かって回転していく。可動書棚３のキャスタ１９が前蓋板９のレール１４から基台１２のレール１３へ移行していくと、前蓋板９は伸縮性部材１７によって引っ張られ、これにより、蝶番１２aを中心として時計回りに回転していく。可動書棚３のキャスタ２０が基台１２のレール１３の後端のストッパ１６に接触して停止するとき、前蓋板９も可動書棚３の前に立ち上がって最初の格納状態となる。図では、図９、図８、図７、図６、図５の状態を経て図４の状態になる。
【００２６】
なお、図１０の断面図に示すように、ストッパ１６の前方のレール１３は緩やかな凸部状となるよう形成されている。これにより、可動書棚３が筐体１に収納されたとき、キャスタ２０がストッパ１６と凸部１３aとの間に挟まれるので、可動書棚３がその位置で停止を維持することができる。このため、可動書棚３が不用意に外に動き出すことを防止できる。ただし、この凸部１３aの傾斜は、可動書棚３を引き出すときの障害とならない程度に緩やかに形成されている。
【００２７】
上記の伸縮性部材としては、部材の長さが伸びたときにそれを戻そうとする力が発生するものであればよく、例えばナイロン、フルオロカーボン、ポリエチレンなどの合成化学繊維を用いた伸縮性紐状部材でもよいし、あるいは金属スプリングを利用したものであってもよく、いずれにしても可動書棚の重量や大きさに応じたヤング率をもった素材を選択することが好ましい。
【００２８】
可動書棚４と５も、上述した可動書棚３と同様な構成を有し、同様な動作を行う。実施の形態では、３列の可動書棚について説明したが、その他の複数列の可動書棚でも、あるいは一列のみでもよいことは明らかである。また、筐体２はなくてもよい。
【００２９】
（３）本発明の実施形態に係る台所用品収納具についての説明
図１１は物品収納家具の一例としての本発明の実施形態に係る台所用品収納具２１の全体の構成を説明する斜視図である。この台所用品収納具２１は、上方に両開き扉２７を備えた収納部、中ほどに引き出し２６を備え、下方に２列の可動収納体２３を備えている。２４は可動収納体２３の前蓋板で、裏側に可動収納体２３のキャスタが走行するためのレールが設けられている。なお、キャスタおよびレールは図示されていない。可動収納体２３の前蓋板２４の開閉は、可動収納体２２の移動によって発生する伸縮性部材２５の張力を利用して行われる。
【００３０】
この台所用品収納具の物品収納具の一例としての可動収納体２３についても、上述した本発明の実施形態に係る書棚の可動書棚３と実質的に同じ構成を有し、同様な動作を行うので、説明を省略する。なお、図１１に示すように、本発明の実施形態においては、筐体側と可動収納体側にスライド用レール２２を設けている。これにより、可動収納体の移動方向を規制することができ、より円滑な動作が可能となる。
【００３１】
以上、実施の形態では書棚や台所用品収納具を例にして説明したが、当業者であれば、靴の収納棚やその他の収納具にも、適宜、応用することができることは明らかであろう。
【図面の簡単な説明】
【００３２】
【図１】図１は本発明の実施形態に係る書棚の可動書棚が収納状態にあることを示す斜視図である。
【図２】図２は本発明の実施形態に係る書棚の可動書棚が前方に引出されている途中の状態を示す斜視図である。
【図３】図３は本発明の実施形態に係る書棚の可動書棚が完全に前方に引出された状態を示す斜視図である。
【図４】図４は本発明の実施形態に係る書棚の可動書棚の動作を説明する断面図（その１）である。
【図５】図５は本発明の実施形態に係る書棚の可動書棚の動作を説明する断面図（その２）である。
【図６】図６は本発明の実施形態に係る書棚の可動書棚の動作を説明する断面図（その３）である。
【図７】図７は本発明の実施形態に係る書棚の可動書棚の動作を説明する断面図（その４）である。
【図８】図８は本発明の実施形態に係る書棚の可動書棚の動作を説明する断面図（その５）である。
【図９】図９は本発明の実施形態に係る書棚の可動書棚の動作を説明する断面図（その６）である。
【図１０】図１０は本発明の実施形態に係る書棚の可動書棚の動作を説明する断面図（その７）である。
【図１１】図１１は本発明の別の実施形態に係る台所用品収納棚を示す斜視図である。
【符号の説明】
【００３３】
１・・・書棚、
２・・・筐体、
３〜５・・・可動書棚、
６〜８・・・引出し用窪み、
９〜１１・・・前蓋板、
１２・・・基台、
１２a・・・蝶番、
１３・・・基台側レール、
１３a・・・凸状部、
１４・・・前蓋板側レール、
１５・・・前ストッパ、
１６・・・後ストッパ、
１７・・・伸縮性部材、
１８・・・押し込み部材、
１９・・・前側キャスタ、
２０・・・後側キャスタ、
２１・・・台所用品収納具、
２３・・・可動収納体、
２２・・・スライド用レール、
２４・・・前蓋板、
２５・・・伸縮性部材、
２６・・・引出し、
２７・・・両開き扉。
【図１】
2007097798.tif 000003
【図２】
2007097798.tif 000004
【図３】
2007097798.tif 000005
【図４】
2007097798.tif 000006
【図５】
2007097798.tif 000007
【図６】
2007097798.tif 000008
【図７】
2007097798.tif 000009
【図８】
2007097798.tif 000010
【図９】
2007097798.tif 000011
【図１０】
2007097798.tif 000012
【図１１】
2007097798.tif 000013